(57)【要約】      （修正有）【課題】小型軽量で操作性に優れ、安価で使い捨て可能な内痔核吸引輪ゴム結紮器を提供すること。【解決手段】外筒２と、この外筒２内部にスライド可能に挿入された内筒１を備えている。この内筒１には拡大レンズ５、吸引調整筒、第１の接続栓１０６が設けられている。これらの内筒１および外筒２は、中空の握り部６により支持されている。この握り部６内には、引き金３が回転軸６０４Ａの周りに回動可能に固定されている。この引き金３の上端外周部には、外筒２の平面歯車２０７に歯合する円形歯車３０２が形成されている。前記外筒の外周面にはコイルスプリング２１が嵌合されている。このコイルスプリング２１は、前記外筒２のバネ係止用突起２０４、２０５および前記握り部６の前壁との間に圧縮挟持されている。前記内筒１に設けられた第１の接続栓１０６には前記握り部６内を通過してその下端部に導出される吸引チューブ２２が設けられている。【選択図】図５
2005087477.tif 000002
【特許請求の範囲】
【請求項１】
後端部下面に平面歯車が形成されるとともに、この平面歯車の前方に隣接する外周面にバネ係止用突起が形成された外筒と、この外筒内部に互いに軸方向にスライド可能に挿入され、その先端部が前記外筒の先端部から露出するとともに、その後端部が前記外筒の後端部から露出した内筒と、この内筒の後端部に気密に設けられた拡大レンズと、前記外筒の後端部から露出した前記内筒に連通して設けられた吸引調整筒と、同じく前記外筒の後端部から露出した前記内筒に連通して設けられた接続栓と、前記外筒およびこの後端部から露出した内筒が貫通する支持部およびこの支持部に連結する把持部からなり、前記支持部により前記外筒およびこの後端から露出した内筒を支持する、中空の握り部と、この握り部内において回転軸の周りに回動可能に固定され、前記外筒の平面歯車に歯合する円形歯車が上端外周部に形成されるとともに、下端部が前記握り部開口部から突出した引き金と、前記外筒の外周面に嵌合され、前記外筒の外周面に形成されたバネ係止用突起および前記握り部の支持部前壁との間に圧縮挟持されたコイルスプリングと、前記内筒に連通して設けられた接続栓に接続され、前記握り部内を通過してその下端部に導出される吸引チューブと、を備えたことを特徴とする内痔核吸引輪ゴム結紮器。
【請求項２】
前記外筒、前記内筒、およびこれらを支持する前記握り部は、樹脂材で形成されていることを特徴とする請求項１記載の内痔核吸引輪ゴム結紮器。
【請求項３】
前記握り部は、内壁に複数本の結合ロッドが植設された第１の半握り部と、前記結合ロッドが圧入される複数個の結合筒体が植設された第２の半握り部とにより構成されていることを特徴とする請求項２記載の内痔核吸引輪ゴム結紮器。
【請求項４】
前記第１および第２の半握り部の内壁には、さらに互いに交差する方向に延長された複数個の補強板が固定されていることを特徴とする請求項３記載の内痔核吸引輪ゴム結紮器。
【請求項５】
前記外筒の後端部から露出した内筒の外周面には、固定孔を有し、内筒の軸方向に延長する固定板が固定されており、前記第１および第２の半握り部の内壁には、前記固定板の固定孔に挿入される固定ピンが植設されていることを特徴とする請求項４記載の内痔核吸引輪ゴム結紮器。
【請求項６】
前記握り部内下端部には、前記吸引チューブが一端に接続されるとともに、他端には吸引ポンプに接続される吸引パイプが接続される第２の接続栓が設けられていることを特徴とする請求項５記載の内痔核吸引輪ゴム結紮器。
【請求項７】
前記吸引調整筒は前記内筒の両側に設けられ、それぞれ前記握り部の左右側面から外部に突出して開口するように設けられていることを特徴とする請求項６記載の内痔核吸引輪ゴム結紮器。
【請求項８】
前記握り部の支持部上には、前記内筒の先端部を照射するための照明灯が装着されていることを特徴とする請求項１記載の内痔核吸引輪ゴム結紮器。
【請求項９】
前記支持部上には、前記前方に向かって下る斜面を有するとともに後端部が開口する中空部を有する照明灯装着部が設けられており、この照明灯装着部の斜面上に載置されるとともに、前記中空部に装着金具が挿入されることを特徴とする請求項８記載の内痔核吸引輪ゴム結紮器。
【請求項１０】
先端部から輪ゴムを挿入して後端部に向かって案内する円錐台状の案内部と、この案内部の後端に連結された円柱状の内筒挿入部とから構成され、前記案内部後端部の直径は前記内筒先端部の外径とほぼ同一かやや大きく選定され、また、前記内筒挿入部の外径は前記内筒内に挿入できるように、その内径にほぼ等しいかやや小さく選定されている輪ゴム装着補助器を備えたことを特徴とする請求項１記載の内痔核吸引輪ゴム結紮器。
【請求項１１】
前記輪ゴム装着補助器には、その先端部分が複数の輪ゴムが装着できる長さを有していることを特徴とする請求項３記載の内痔核吸引輪ゴム結紮器。
【発明の詳細な説明】
【技術分野】
【０００１】
本発明は、内痔核処置用器具に関し、特に、内痔核を輪ゴムで結紮するための内痔核吸引輪ゴム結紮器に関する。
【背景技術】
【０００２】
従来、内痔核の治療は、その症状が軽度から重度になるにしたがって、１度、２度、３度、…のように分類され、１度は軟膏などを用いた保存的治療を、また、２度は硬化療法や輪ゴム結紮療法などの外来治療を行い、さらに、３度以上の内痔核や１度あるいは２度でも出血を繰り返すような症例に対しては結紮切除術を主とした手術を行うのが一般的である。
【０００３】
これらの治療方法のうち、輪ゴム結紮療法には、内痔核を輪ゴムで結紮する器具が用いられていた。この器具は、本発明者の一人により発明されたものであり、内痔核を軸方向にスライド可能に同心的に配置された内外二重筒を介して空気流により吸引し、内筒先端に装着された輪ゴムを外筒のスライドにより、内痔核に移動させ、結紮するものである（特許文献１）。
【特許文献１】特開平９−２８７１４号公報
【発明の開示】
【発明が解決しようとする課題】
【０００４】
しかし、上記の内痔核吸引輪ゴム結紮器は、雑菌の侵入、患者間の病原菌の伝染等、衛生上の観点から、一度使用した器具は使い捨てとすることが望ましい。しかし従来の内痔核吸引輪ゴム結紮器はその構造が複雑であり、量産に適していないため、その製造コストが高く、使い捨てにすることは困難であった。
【０００５】
そこで、本発明の目的は、量産に適した構造を備え、安価で使い捨てが可能であるとともに、操作性の優れた内痔核吸引輪ゴム結紮器を提供することにある。
【課題を解決するための手段】
【０００６】
本発明の内痔核吸引輪ゴム結紮器は、左右に移動し、その端部近辺にバネ止め部を有する外筒と、その外筒内部に内包され且つ端部に注視鏡が、また、その端部近辺に吸引調整孔を有し、且つ内部で中空状態で連結している吸引調整筒を備えた内筒と、前記外筒の左右移動を行う引き金と、前記外筒に取り付けられていて、この引き金の操作によって前記外筒の左右移動を調整するように前記外筒に取り付けられていてバネと、前記内筒と一体的に固定連結されていて、その上部に照明灯を装着する照明灯装着部が、また、下部に吸引チューブを挿入するチューブ差込み部がそれぞれ設けられている握り部とを備えたことを特徴とするものである。
【０００７】
また、本発明の内痔核吸引輪ゴム結紮器においては、前記吸引調整筒は前記握り部の左右側面に突出していることを特徴とするものである。
【０００８】
さらに、本発明の内痔核吸引輪ゴム結紮器においては、前記内筒に装着自在で、且つ先端が細く円錐形に形成されている輪ゴム装着補助器を備えたことを特徴とするものである。
【０００９】
さらに、本発明の内痔核吸引輪ゴム結紮器においては、前記照明灯装着部の上部は、前記外筒の先端前方を照らすように、その先端方向が後部よりも低い傾斜をもって形成されていることを特徴とするものである。
【００１０】
さらに、本発明の内痔核吸引輪ゴム結紮器においては、前記輪ゴム装着補助器には、その先端部分が複数の輪ゴムが装着できる長さを有していることを特徴とするものである。
【００１１】
さらに、本発明の内痔核吸引輪ゴム結紮器においては、前記外筒および前記内筒と、前記吸引調整筒および前記引き金ならびに前記握り部とは、透明プラスチック材で形成されていることを特徴とするものである。
【００１２】
さらに、本発明の内痔核吸引輪ゴム結紮器においては、上部に照明灯装着部を、また、その上部側面には吸引調整筒を突出させる突出穴を有し、さらに、下部にはチューブ差込部材を取り付ける差込部材取付け穴を有し、且つその裏面内部に両者を合体させる合体手段と引き金挿入突起部とを有する左右握り部と、右端近辺にバネ止めと、そのバネ止めの右側下部に設けた噛合い歯とを有する外筒と、この外筒内部に挿入され、且つその右端近辺には吸引調整孔を有して内部で中空状態で連結している前記吸引調整筒と前記左右握り部を固定する握手固定部材とを有する内筒と、この内筒に対する外筒の移動を調整するバネと、上部に前記噛合い歯と噛合う引き金歯および挿入孔を有する引き金とを備え、前記外筒の右端からバネを挿入した後、前記内筒を前記外筒に挿入し、さらに、前記引き金歯を前記噛合い歯に噛み合わせた状態で前記引き金を前記左右握り部に合体させ、さらに、その左右握り部側面から突出穴を介して吸引調整筒を外部に突出させて前記握手固定部材に前記左右握り部を固定したことを特徴とするものである。
【発明の効果】
【００１３】
上記した本発明によれば、小型軽量であり、かつ、機械的強度も高く、安価で使い捨て使用が可能であり、したがって衛生的な内痔核吸引輪ゴム結紮器が得られる。
【００１４】
さらに、本発明によれば、輪ゴム装着補助器あるいは照明灯を併用することによって、より高い治療効果が得られる。
【発明を実施するための最良の形態】
【００１５】
以下、本発明の実施形態を図面により詳細に説明する。
【００１６】
図１は、本発明による内痔核吸引輪ゴム結紮器の斜視図であり、図２はその分解斜視図である。この内痔核吸引輪ゴム結紮器は、全体としてピストル型をしており、内筒１が外筒2内に挿入されている。すなわち、内筒１および外筒2は、互いに軸方向にスライド可能に同心的に配置された二重筒からなり、内筒１は、引き金３が矢示４方向に引かれると、外筒２内に引き込まれるように構成されている。外筒２の後端には、内筒１の内部を通して患部（不図示）を拡大して観察できる拡大レンズ５が取り付けられている。
【００１７】
また、握り部６は内筒１が挿入された外筒2を支持する支持部６０１と、この支持部６０１に一体的に形成され、前記筒軸に交差する方向に延長された把持部６０２から構成されている。支持部６０１は、外筒2をその後端部において支持するために、外筒2の筒軸に沿って延長され、外筒2の外周をほぼ同軸的に包囲するように形成されている。また、把持部６０２は、支持部６０１の後端部において前記筒軸に交差する方向に延長され、器具の使用者が片手で把持できるような大きさに形成されている。
【００１８】
握り部６の支持部６０１上部には、外筒2の筒軸に沿い、かつ、外筒2の前方に向かって徐々に高さが低下する斜面を有する照明灯装着部７が設けられている。この照明灯装着部７には、後述する照明灯を装着すると、その照明光が外筒2の先端部に位置する患部を照射するようになっている。
【００１９】
さらに、握り部６の側面両側には、内部で内筒１と連結する吸引調整筒８を外部に導出するための透孔９が設けられている。この吸引調整筒８は、器具の使用者が握り部６を握りながら、例えば、その握り手の親指でこれを塞いだり開放したりすることによって内筒１による吸引の開始・停止あるいは吸引の強さを調整するためのものである。
【００２０】
さらに、握り部６の下部には、吸引ポンプ（図示せず。）に接続された吸引管１０が接続される接続栓１１が取り付けられている。
【００２１】
図２および図３により上記内痔核吸引輪ゴム結紮器の内部構造についてさらに説明する。
【００２２】
内筒１は、図２および図４に示されるように、その中央の外周面に径が幾分縮小された径小部１０１が形成され、外筒2との軸方向のスライド抵抗を減少させている。内筒１は、その後端部に外筒2の内径よりやや大きな径を有する径大部１０２が形成されている。この径大部１０２には、上述した吸引調整筒８が、内筒１の半径方向で反対側にそれぞれ延長配置されている。図２および図４では両側の吸引調整筒をそれぞれ８Ａ、８Ｂで示している。これらの吸引調整筒８Ａ、８Ｂはそれぞれその開口端が斜めに切断された形状になっており、親指で開口端を開閉しやすくなっている。内筒１の径大部１０２にはまた、内筒１の軸に沿って固定板１０３、１０４が半径方向で反対側にそれぞれ配置されている。これらの固定板１０３Ａ、１０３Ｂにはそれぞれ複数個の固定孔１０５が形成されている。このような内筒１は、樹脂成形により製造することが可能である。
【００２３】
内筒１の径大部１０２にはさらに、図２および図４（Ｂ）に示されるように、吸引用のチューブを接続するための樹脂製の第１の接続栓１０６が内筒１の外周面上に設けられている。第１の接続栓１０６は、後述するように、この接続栓１０６に接続される吸引用のチューブを介して、内筒１内の空気を吸引するために設けられている。図４（Ｃ）は、内筒１をその後端側から見た背面図である。同図のように内筒１の外周面上において、吸引調整筒８Ａ、８Ｂは水平方向に延長され、接続栓１０６は垂直方向に延長されている。
【００２４】
次に、外筒2は、図１あるいは図２に示されるように、その円周面上の上下部分において、軸方向に複数本の長孔２０１、２０２、２０３が形成されている。これらの長孔２０１、２０２、２０３は、内筒１とのスライド抵抗を減少するために形成されている。外筒2の後端部外周面には、その後端から見て上部および左右に３個のバネ係止用突起２０４、２０５、２０６が設けられている。そして外筒2の後端部外周面下側には、平面歯車２０７を構成する歯列が軸に沿って形成されている。この平面歯車２０７は、後述するように、引き金３の回動により、外筒2をその軸方向に移動させるために用いられる。このような外筒2も樹脂成形により製造することが可能である。
【００２５】
図２に示される金属製のコイルスプリング２１は、その内径が外筒2の外周よりやや大きく外筒2の外周に嵌合してその軸方向に移動するが、外筒2の外周に固定された３個のバネ係止用突起２０４、２０５、２０６によりその移動が阻止されるように構成されている。内筒１および外筒2に対してコイルスプリング２１は次のように組み立てられる。まず、内筒１がその先端部から外筒2内に挿入される。この場合、内筒１は、外筒２の後端部が内筒１の径大部１０２前端部に接触するまで挿入される。その後、外筒２の先端部からコイルスプリング２１が挿入され、バネ係止用突起２０４、２０５、２０６にその移動が阻止されるまで、外筒２の後端に向かって移動される。
【００２６】
次に、握り部６は、図２に示されるように、外筒2を両側から２個の半握り部６Ａ、６Ｂにより挟んで支持するように構成されている。また、このように２個の半握り部６Ａ、６Ｂを合体することにより構成される握り部６は、その内部が中空となるように、各半握り部６Ａ、６Ｂを樹脂成型により製造される。
【００２７】
握り部６には、また、支持部６０１の前端部において、前記筒軸に沿って長孔６０３が形成され、この長孔６０３から引き金３が、把持部６０２にほぼ平行に突出している。この引き金３は同じく樹脂成形により製造され、図２に示されるように、その基部に回転軸受筒３０１が樹脂成形により設けられている。この回転軸受筒３０１には、半握り部６Ａの内壁に一端が植設された樹脂製の筒状回転軸６０４Ａが挿入され、引き金３はこの筒状回転軸６０４Ａの周りに回動可能に支持される。引き金３の回転軸受筒３０１の周囲の外周面には、前述した外筒2の後端部に形成された平面歯車２０７に噛み合う円形歯車３０２が形成されている。
【００２８】
半握り部６Ｂの内壁にも、図３（Ｂ）に示すように、回転軸６０４Ａに対応して同様な回転軸６０４Ｂの一端が植設されており、半握り部６Ｂが半握り部６Ａに合体されたとき、回転軸６０４Ａおよび回転軸６０４Ｂは共に引き金３の回転軸受筒３０１内部に挿入され、両者で一体となって引き金３の回転軸を形成する。半握り部６Ａに植設された回転軸６０４Ａの周囲の内壁には、リング状の突起６０５Ａが植設されており、このリング状の突起６０５Ａ内には引き金３の回転軸受筒３０１の一端が嵌合する。すなわちこのリング状の突起６０５Ａは、引き金３の回動の際、その回転を案内する機能を有している。半握り部６Ｂの内壁にも、図３（Ｂ）に示すように、同様なリング状の突起６０５Ｂが設けられている。
【００２９】
半握り部６Ａの内壁にはまた、図２に示されるように、外筒2を支持するとともに中空の握り部６の強度を補強するための第１の補強板６０６Ａ、第２の補強板６０７Ａが樹脂成形により固定されている。これらの補強板６０６Ａ、６０７Ａの上端には半円弧状の切欠部が形成され、これらの部分で外筒2の外周面を支持する。半握り部６Ａの前壁６０８Ａおよび後壁６０９Ａにも同様な半円弧状の切欠部が形成され、これらの部分で外筒2の外周面を支持する。半握り部６Ｂにも、図３（Ｂ）に示すように、半握り部６Ａとほぼ対照的な構造の補強板６０６Ａ、６０７Ａあるいは前壁６０８Ｂおよび後壁６０９Ｂを備えている。
【００３０】
半握り部６Ａの内壁にはさらに、図２あるいは図３（Ａ）に示されるように、複数個の結合ロッド６１１Ａ〜６１５Ａがほぼ垂直に樹脂成形により植設されている。半握り部６Ｂの内壁には、図３（Ｂ）に示されるように、これらの結合ロッド６１１Ａ〜６１５Ａが圧入される複数個の結合筒体６１１Ｂ〜６１５Ｂ（図示せず。）が樹脂成形により植設されている。半握り部６Ａと半握り部６Ｂとは、結合ロッド６１１Ａ〜６１５Ａが対応する結合筒体６１１Ｂ〜６１５Ｂに圧入されることによって、外筒2を挟んで一体に結合される。
【００３１】
また、半握り部６Ａの内壁には図２あるいは図３（Ｂ）に示した内筒１の固定板１０３Ａ、１０３Ｂに形成された複数個の固定孔１０５に挿入され、内筒１を握り部６内に固定するための、固定ピン６１６Ａ、６１７Ａ、６１８Ａが樹脂成形により植設されている。半握り部６Ｂの内壁にも、対応する部分に固定ピン６１６Ｂ、６１７Ｂ、６１８Ｂが同様に植設されている。半握り部６Ａと半握り部６Ｂとを内筒１を挟んで合体すると、それぞれの固定ピン６１６Ａ、６１７Ａ、６１８Ａおよび固定ピン６１６Ｂ、６１７Ｂ、６１８Ｂは、内筒１の固定板１０３Ａ、１０３Ｂに形成された複数個の固定孔１０５に両側から挿入され、内筒１を握り部６内に固定する。
【００３２】
半握り部６Ａの内壁において、把持部６０２に該当する部分にはさらに、図２あるいは図３（Ａ）に示されるように、第３乃至第７の補強板６２０Ａ〜６２４Ａが樹脂成形により設けられている。これらのうち第３の補強板６２０Ａは、第１および第２の補強板６０６Ａ、６０７Ａと同様に、外筒2の筒軸に対してほぼ直交する方向に延長配置されているが、第４乃至第７の補強板６２１Ａ〜６２４Ａは外筒2の筒軸に対してほぼ平行に延長配置されている。半握り部６Ｂにも図３（Ｂ）に示されるように、同様な第３乃至第７の補強板６２０Ｂ〜６２４Ｂが対称的に設けられている。
【００３３】
半握り部６Ａの支持部６０１の上面には図３（Ａ）に示されるように、照明灯装着部７Ａが樹脂成形により一体に設けられている。照明灯装着部７Ａは内筒１の軸方向に平行に延長され、その後端部において開口する中空部７Ｃを有している。半握り部６Ｂにも図３（Ｂ）に示されるように、同様な照明灯装着部７Ｂが樹脂成形により設けられており、半握り部６Ａと半握り部６Ｂを内筒１および外筒2を挟んで合体させたとき、照明灯装着部７Ａおよび７Ｂも合体されて、照明灯装着部７を形成する。
【００３４】
図５は図1に示した内痔核吸引輪ゴム結紮器の一部を分解して示す側面図である。同図においては、図１の構成部分と同一の部分には同一の符号を付して示し、重複した説明は行わないこととする。
【００３５】
外筒2およびこの内部に挿入された内筒１は、握り部６の支持部６０１内に支持される。すなわち、外筒2は支持部６０１の前壁６０８Ａ（６０８Ｂ）に設けられた開口６０８Ｃおよび第１の補強板６０６Ａ（６０６Ｂ）に設けられた切欠部により支持される。また、内筒１は支持部６０１後壁６０９Ａに設けられた開口６０９Ｃおよび第２の補強板６０７Ａに設けられた切欠部により支持される。内筒１はさらに、その径大部１０２に固定された固定板１０３Ａ、１０３Ｂに形成された複数個の固定孔１０５に、半握り部６Ａに植設された固定ピン６１６Ａ、６１７Ａ、６１８Ａおよび半握り部６Ｂに植設された固定ピン６１６Ｂ、６１７Ｂ、６１８Ｂを、固定板１０３Ａ、１０３Ｂの両側から挿入することにより、握り部６内に固定される。
【００３６】
外筒2に嵌合されたコイルスプリング２１は、バネ係止用突起２０４、２０５、２０６と握り部６の前壁６０８Ａ（６０８Ｂ）間に圧縮挟持される。この結果、外筒2はその軸方向後方に押圧され、その後端部は内筒１の径大部１０２前端部に接触する位置に保持されている。この状態において、内筒１の先端部１Ａは外筒2の先端部２Ａよりわずかに突出している。この外筒2の先端部２Ａから突出した内筒１の先端部１Ａには、後述するように、輪ゴム１５が嵌合装着される。
【００３７】
引き金３は把持部６０２の回転軸６０４Ａ（６０４Ｂ）の周りに回動可能に設けられており、握り部６を把持する内痔核吸引輪ゴム結紮器の使用者の人差し指により矢印４に示す方向に回動される。この回動力は、引き金３の上端外周に形成された円形歯車３０２およびこれに噛み合う外筒2の後端部に形成された平面歯車２０７を介して外筒2に伝達され、外筒2を内筒１に沿って前方にスライドさせる。
【００３８】
内筒１の径大部１０２に設けられた第２の接続栓１０６には、吸引用チューブ２２の一端が接続されている。吸引用チューブ２２は握り部６の支持部６０１内を通過して、その他端は第２の接続栓１１に接続される。吸引用チューブ２２は支持部６０１内の第３乃至第７の補強板６２０Ａ〜６２４Ａ（６２０Ｂ〜６２４Ｂ）に形成された切欠部２３を通過させることにより、支持部６０１内に固定される。第２の接続栓１１の一端は握り部６を構成する把持部６０２の下端に形成された透孔６０４から外側に導出されている。
【００３９】
図６は上記内痔核吸引輪ゴム結紮器に装着される照明灯の斜視図、図７は上記内痔核吸引輪ゴム結紮器に輪ゴムを装着するための補助器を示す斜視図である。
【００４０】
図６に示した前記の照明灯１２はペン型の照明灯で、その側面には長手方向に長い装着金具１３が取り付けられていて、この装着金具１３をその前端から前記照明灯装着部７の中空部７Ｃ（図1、３）に差し込むことによって、照明灯１２が照明灯装着部７に装着される。照明灯装着部７は前方に向かって低くなるように傾斜しているため、照明灯１２から照射される光は図１の内筒１の先端部１Ａに光が集光する。この内筒１の先端部１Ａは処置すべき患部に存在する痔核２５を照射し、内痔核吸引輪ゴム結紮器の使用者は、内筒１の後端部に設けられた拡大レンズ５を介して患部を観察することができる。
【００４１】
図７に示した輪ゴム装着補助器１４は、先端部から輪ゴム１５を挿入して後端部に向かって案内する円錐台状の案内部１６と、この案内部１６の後端に連結された円柱状の内筒挿入部１７から構成されている。案内部１６後端部の直径は内筒１の先端部１Ａの外径とほぼ同一かやや大きく選定され、また、内筒挿入部１７の外径は内筒１内に挿入できるように、その内径にほぼ等しいかやや小さく選定されている。この輪ゴム装着補助器１４はその内筒挿入部１７を、内筒１の先端部１Ａに挿入することにより装着し、この状態で治療に用いられる輪ゴム１５を案内部１６の先端部から嵌め込む。この輪ゴム１５は案内部１６の後端部に向かって移動され、内筒１の先端部１Ａに嵌合される。その後輪ゴム装着補助器１４は内筒１の先端部１Ａからはずされる。
【００４２】
次にこのように構成された内痔核吸引輪ゴム結紮器使用方法について説明する。先ず、上記のように輪ゴム装着補助器１４を用いて輪ゴム１５を内筒１の先端部１Ａに嵌合する。次いで結紮器の握り部６下部に吸引管１０を介して接続された吸引ポンプ（図示せず。）を動作状態にして吸引を開始する。このとき、内筒１の径大部１０２に設けられた左右２個の吸引調整筒８Ａ、８Ｂのうちの一方を予め栓（図示せず。）等により閉塞し、他方のみを開放状態にする。いずれを開放状態にするかは、握り部６を右手と左手のいずれかにより把持するかにより選択する。すなわち、一般に使用者である医師が右利きの場合には、右手で把持するため、右手の親指で閉塞可能な側の吸引調整筒８Ｂ（図２）を開放状態にし、反対側の吸引調整筒８Ａを予め閉塞しておく。また、照明灯１２を照明灯装着部７に装着し点灯状態にする。そして使用者は、予め輪ゴム１５が内筒１の先端部１Ａに装着された結紮器の握り部６を片手により把持し、内筒１の先端部１Ａを例えば肛門鏡（図示せず。）等の器具を併用して患部（図１の２４）に挿入する。この際使用者は、内筒１の後端部に設けられた拡大レンズ５を介して患部を観察しつつ、治療すべき痔核２４に内筒１の先端部１Ａを接近させる。内筒１の先端部１Ａが患部の痔核２４に十分接近したとき、使用者はその右手の親指で吸引調整筒８Ｂを閉塞し、あるいはその開口の押圧力を調整することにより吸引力を調整する。これにより、内筒１の先端部１Ａに吸引ポンプによる吸引力が働き、痔核２４を引き寄せる。この状態において使用者はその右手の人差し指で引き金３を矢示４（図５）方向に引くと、外筒２が内筒１の先端部１Ａまで移動する。この結果、内筒１の先端部１Ａに嵌合装着されていた輪ゴム１５は、外筒２の先端部により押し出され、内筒１の先端部１Ａからはずれて痔核２４の周囲に移動してこれを結紮する。使用者が引き金３を開放すると、支持部６０１内に装着されたコイルスプリング２１の復元作用により、外筒２はその軸方向後方に移動し、元の位置に戻される。
【００４３】
このようにして、一個の痔核２４の治療が完了すると、輪ゴム装着補助器１４を用いて別の輪ゴム１５を内筒１先端部１Ａに装着する。そして、上記した手順で他の痔核２４の治療を行う。このため、輪ゴム装着補助器１４には、１本に限らず必要に応じて複数本の輪ゴム１５を装着しておいても良い。
【００４４】
なお、患部が十分に明るい場合には、照明灯１２を点灯する必要はなく、あるいは照明灯装着部７に装着する必要もない。
【００４５】
このように、本発明による内痔核吸引輪ゴム結紮器によれば、痔核の輪ゴムにより結紮は、片手の操作のみにより簡単にできるため、医者は補助者を要することなく一人で治療が可能である。また、本発明の内痔核吸引輪ゴム結紮器は、コイルスプリング２１等、一部の部品を除き、全体を合成樹脂の成形体部品を組み立てることにより製造することができる。また、その構造も内筒１および外筒２を支持する握り部６は、ほぼ対称な成形体部品である半握り部６Ａおよび半握り部６Ｂをその内壁に植設された複数個の結合ロッド６１１Ａ〜６１５Ａおよびこれらが圧入される複数個の結合筒体６１１Ｂ〜６１５Ｂにより結合され、さらに縦横に張り巡らされた第１第、２の補強板６０６Ａ、６０７Ａ（６０６Ｂ、６０７Ｂ）あるいは第３乃至第７の補強板６２０Ａ〜６２４Ａ（６２０Ｂ〜６２４Ｂ）により補強されるため、高い機械的な強度が得られる。
【００４６】
さらに、内筒１と外筒２の相対的な移動機構は、外筒2の後端部に形成された平面歯車２０７と引き金３の回転軸受筒３０１の周囲の外周面に形成された円形歯車３０２、さらにはこれらとコイルスプリング２１のとの組み合わせにより構成されるため、確実かつ安定な動作が可能である。
【００４７】
さらに、内筒１の径大部１０２には左右２個の吸引調整筒８Ａ、８Ｂが設けられているため、使用者は左右いずれの手により把持することができ、使用者が右利きのあるいは左利きのいずれであるかにかかわらず、誰でも使用することができる。
【００４８】
また、本発明による内痔核吸引輪ゴム結紮器は、その製造においても樹脂成形により量産が可能であるとともに、部品の組み立てもプラモデルを組み立てる要領で容易に組み立てられることができる。したがって、材料費も安く、製造工費も安価であるため、使い捨て使用が可能であり、衛生面でも安全性が高い。
【図面の簡単な説明】
【００４９】
【図１】本発明の一実施形態による内痔核吸引輪ゴム結紮器の概観を示す斜視図である。
【図２】図１に示す内痔核吸引輪ゴム結紮器の内部構造を示すための分解斜視図である。
【図３】図１に示す内痔核吸引輪ゴム結紮器における握り部の内部構造を示す平面図で、同図（Ａ）は内筒の後端から前方を見て右半分の構造を示し、同図（Ｂ）は半分の構造を示す。
【図４】図１に示す内痔核吸引輪ゴム結紮器における内筒の構造を示す図で、同図（Ａ）は平面図、同図（Ｂ）は側面図、同図（Ｃ）は背面図である。
【図５】図１に示す内痔核吸引輪ゴム結紮器の内部構造を示す一部分解側面図である。
【図６】図１に示す内痔核吸引輪ゴム結紮器に用いられる照明灯の一例を示す斜視図である。
【図７】図１に示す内痔核吸引輪ゴム結紮器に用いられる輪ゴム装着補助器の一例を示す斜視図である。
【符号の説明】
【００５０】
１  内筒    
２  外筒  
３  引き金  
４  矢示  
５  拡大レンズ  
６  握り部  
７  照明灯装着部  
８  吸引調整筒  
９  吸引調整筒用孔  
１０  吸引管  
１１  第２の接続栓  
１２  照明灯  
１３  装着金具
１４  輪ゴム装着補助器
２１  コイルスプリング
２２  吸引チューブ
１０６  第１の接続栓
２０４、２０５、２０６  バネ係止用突起
２０７  平面歯車
３０２  円形歯車
６０１  支持部
６０２  把持部
【図１】
2005087477.tif 000003
【図２】
2005087477.tif 000004
【図３】
2005087477.tif 000005
【図４】
2005087477.tif 000006
【図５】
2005087477.tif 000007
【図６】
2005087477.tif 000008
【図７】
2005087477.tif 000009